(57)【要約】  【課題】  集合タップのコンセント口の形状に関わらず、複数台の薄型ＡＣアダプタを効率良く実装できるようにした。  【解決手段】  ＡＣアダプタ本体３００から抜き差しにより分離可能なプラグ構造体４００には、ＡＣプラグ４０２ａを設け、このプラグ４０２ａはＡＣコンセントに差し込まれて嵌合する部分である。ＡＣプラグ４０２ａの金属片と一体的に形成される金属片４０２ｂは、ＡＣアダプタ本体３００に形成された電極部３０２に挿入されて嵌合する部分である。プラグ構造体４００はＡＣアダプタ本体３００に装着したときに、脱落を防ぐためのフック４０３を有し、このフック４０３はフック孔３０３に係合される。プラグ構造体４００は、プラグ４０２ａの位置を集合タップのコンセント口に合わせて変更可能となるように構成されていて、ＡＣアダプタ本体３００を集合タップに最大実装となるように装着することができる。  【選択図】  図１
2007280857.tif 000002
【特許請求の範囲】
【請求項１】
ＡＣ／ＤＣ変換を行うＡＣアダプタ本体と、このＡＣアダプタ本体と着脱自在に構成されたACプラグを有するプラグ構造体とからなることを特徴とするＡＣ／ＤＣアダプタ装置。
【請求項２】
前記プラグ構造体は、ＡＣアダプタ本体に対して縦横９０度向きを変更させて着脱自在に構成するとともに、ＡＣプラグとアダプタ本体との電気的接続を保持して、ＡＣ電源をアダプタ本体内に供給することができるようにしたことを特徴とする請求項１記載のＡＣ／ＤＣアダプタ装置。
【請求項３】
前記プラグ構造体は、ＡＣアダプタ本体に対して時計方向／反時計方向に９０度回動させて着脱自在に構成するとともに、ＡＣプラグとアダプタ本体との電気的接触を保持して、ＡＣ電源をアダプタ本体内に供給することができるようにしたことを特徴とする請求項１記載のＡＣ／ＤＣアダプタ装置。
【請求項４】
前記プラグ構造体は、ＡＣアダプタ本体と着脱自在に構成するとともに、係合係止機構を設けて、ＡＣアダプタ本体から脱落しないようにしたことを特徴とする請求項２又は３記載のＡＣ／ＤＣアダプタ装置。
【発明の詳細な説明】
【技術分野】
【０００１】
この発明は、ノート型パソコンや通信機器などに使用されるＡＣ／ＤＣアダプタ装置に関するものである。
【背景技術】
【０００２】
現在、制御用電子回路を使用した制御装置では、装置の小型化や発熱の防止の目的のために、商用の交流電源を直流の低電圧に変換する電源回路部分を装置の外部に設けることも少なくない。この場合、一般にＡＣ／ＤＣアダプタ（以下ＡＣアダプタと称す）と呼ばれる直流出力の電源装置を利用することが多い。このＡＣアダプタは、それぞれ、商用のＡＣコンセントに接続されるため、ＡＣコンセント・プラグを持つＡＣケーブルを有する場合と、ＡＣアダプタをＡＣコンセントに直接装着できるように、コンセント・プラグ部分をＡＣアダプタの一部としてＡＣアダプタの機構に取り込んでしまっている場合とがある。
【０００３】
ここでは、後者の場合のＡＣアダプタの形態例を図８に示す。図８（ａ）〜（ｃ）において、１００ａ〜１００ｃはＡＣアダプタ本体、１０１はＤＣケーブル、１０２は電子機器側にＤＣ電源を供給するＤＣプラグである。また、１０３ａ〜１０３ｃはＡＣコンセントに挿入されるＡＣプラグであって、ＡＣアダプタ本体ｌ００ａ〜１００ｃの機構の一部として実装されている。なお、図８（ａ）〜（ｃ）において、図８（ａ）は標準タイプ、図８（ｂ）は薄型縦向きプラグタイプ、図８（ｃ）は薄型横向きプラグタイプのＡＣアダプタ本体である。
【０００４】
上記のような、ＡＣアダプタ本体を利用する電子機器は、単品で使用される場合も勿論あるが、複数台を並列で利用することも多いし、また、当然オフィスなどでは、他の電子機器と同時に用いられることもある。
【０００５】
このような場合には、通常ＡＣコンセントの数を増やす目的で、集合コンセント（集合タップ）が用いられる。集合タップには、プラグの実装向きにより、縦向きタップと横向きタップの２種類がある。これらの集合タップに、図８に示した３種類のＡＣアダプタを実装した場合の様子を図９〜図１１に示す。（集合タップは２〜６程度のコンセント口を持つ場合が多いが、ここでは４個口の場合の例を示す。）
【特許文献１】特開平８−１８０９４６号公報
【特許文献２】特開２０００−２２３２０２号公報
【発明の開示】
【発明が解決しようとする課題】
【０００６】
上述した図８（ａ）の標準タイプのＡＣアダプタ１００ａを、図９（ａ）に示す縦向き集合タップ２００に実装する場合、ＡＣアダプタ１００ａは横幅があるために、一つ置きのコンセント口にしかＡＣプラグ１０３ａを実装できず、この集合タップ２００には、２台までしかＡＣアダプタ１００ａが実装できない。また、図９（ｂ）に示す横向き集合タップ２０１に実装する場合も当然２台までの実装となる。
【０００７】
このように標準的なＡＣアダプタ１００ａは、縦方向でも横方向でも、集合タップ２００，２０１のコンセント口を有効に利用することができない。これを解決する手段として、図８（ｂ）や（ｃ）の薄型のＡＣアダプタが開発された。
【０００８】
次に、図８（ｂ）の薄型縦向きプラグ・タイプのＡＣアダプタ１００ｂを集合タップ２００、２０１に実装する場合の様子を図１０（ａ）（ｂ）に示す。この図１０（ａ）は，縦向き集合タップ２００に薄型縦向きプラグ・タイプのＡＣアダプタ１００ｂを実装する場合で、この場合には、４台までのＡＣアダプタ１００ｂを実装することができる。しかし、図１０（ｂ）の横向き集合タップ２０１には、標準のＡＣアダプタの場合と同様に２台までのＡＣアダプタ１００ｂしか実装することができない。
【０００９】
次に、図８（ｃ）の薄型横向きプラグ・タイプのＡＣアダプタ１００ｃを集合タップ２００、２０１に実装する場合の様子を図１１（ａ）（ｂ）に示す。この図１１（ａ）（ｂ）の場合は、上記とは逆に、図１１（ａ）の縦向き集合タップ２００に薄型横向きプラグ・タイプのＡＣアダプタ１００ｃを実装する場合には、２台までしか実装することができないが、図１１（ｂ）の横向き集合タップ２０１には、４台までのＡＣアダプタ１００ｃを実装することができる。
【００１０】
上述のように薄型のＡＣアダプタ１００ｂ，１００ｃの場合、集合タップ２００，２０１のコンセント口の向きが、ＡＣアダプタのＡＣプラグと合致する場合には効率的な実装ができるが、そうでない場合には、実装効率は標準のＡＣアダプタと同じとなる。つまり、薄型のＡＣアダプタ１００ｂ，１００ｃのＡＣプラグ１０３ｂ，１０３ｃの場合でも、集合タップ２００，２０１のコンセント口との向きが合わないと効率的な実装は不可能となってしまう問題がある。
【００１１】
特に、通信装置や制御装置に付属されるようなＡＣアダプタは、データ・センタなどで多数使用されるため、集合タップに効率良く実装できることが求められるが、適用される状況（使用される集合タップの形態とＡＣアダプタのプラグの向きの状態）によって実装効率が落ちる場合があることは望ましい状態ではなかった。
【００１２】
この発明は、上記の事情に鑑みてなされたもので、コンセント口が縦向きの集合タップか、コンセント口が横向きの集合タップかの形状に関わらず、集合タップに複数台の薄型ＡＣアダプタを効率良く実装できるようにしたＡＣ／ＤＣアダプタ装置を提供することを課題とする。
【課題を解決するための手段】
【００１３】
この発明は、上記の課題を達成するために、第１発明は、ＡＣ／ＤＣ変換を行うＡＣアダプタ本体と、このＡＣアダプタ本体と着脱自在に構成されたACプラグを有するプラグ構造体とからなることを特徴とするものである。
【００１４】
第２発明は、前記プラグ構造体が、ＡＣアダプタ本体に対して縦横９０度向きを変更させて着脱自在に構成するとともに、ＡＣプラグとアダプタ本体との電気的接続を保持して、ＡＣ電源をアダプタ本体内に供給することができるようにしたことを特徴とするものである。
【００１５】
第３発明は、前記プラグ構造体が、ＡＣアダプタ本体に対して時計方向／反時計方向に９０度回動させて着脱自在に構成するとともに、ＡＣプラグとアダプタ本体との電気的接触を保持して、ＡＣ電源をアダプタ本体内に供給することができるようにしたことを特徴とするものである。
【００１６】
第４発明は、前記プラグ構造体は、ＡＣアダプタ本体と着脱自在に構成するとともに、係合係止機構を設けて、ＡＣアダプタ本体から脱落しないようにしたことを特徴とするものである。
【発明の効果】
【００１７】
以上述べたように、この発明によば、ＡＣアダプタ本体と、このアダプタ本体に対してＡＣプラグを有するプラグ構造体とを着脱可能に構成し、プラグ構造体をアダプタ本体に対して９０度向きを変更させても、ＡＣ電源をアダプタ本体内に供給することができるように構成したことにより、集合タップのコンセント口の向きにあわせて、ＡＣプラグの装着方向を切り替えるようにしたので、縦横何れのタイプのコンセト口を有する集合タップの場合でも最大の実装効率で使用することが可能になる利点がある。
【００１８】
また、この発明によれば、ＡＣアダプタ本体と、このアダプタ本体に対してＡＣプラグを有するプラグ構造体とを時計方向あるいは反時計方向に回動させて着脱可能な構成とするとともに、ＡＣプラグとアダプタ本体との電気的接触を保持して、ＡＣ電源をアダプタ本体内に供給することができるように構成したことにより、集合タップのコンセント口の向きにあわせて、プラグ構造体を上記のように回動させて集合タップに実装すれば、何れの場合にも最大の実装効率で使用することが可能になる利点が得られる。
【発明を実施するための最良の形態】
【００１９】
以下この発明の実施の形態を図面に基づいて説明する。
【００２０】
［実施の形態１］
図１はこの発明のＡＣアダプタ装置における実施の形態１を示すＡＣアダプタ本体と抜き差しにより分離可能なプラグ構造体の斜視図で、図１において、３００はＡＣアダプタ本体、４００はＡＣアダプタ本体３００から抜き差しにより分離可能な略正方形状のプラグ構造体である。
【００２１】
図１において、プラグ構造体４００は、ＡＣアダプタ本体３００から分離されている状態を示す。プラグ構造体４００には、金属片からなるＡＣプラグ４０２ａが形成されていて、このＡＣプラグ４０２ａの向きを縦にした場合と、ＡＣプラグ４０２ａを９０度向きを変更して横にした場合の例を図１に示してある。
【００２２】
ＡＣプラグ４０２ａは、図示しない集合タップのＡＣコンセント口に差し込まれて嵌合する部分である。また、プラグ構造体４００の図示裏面側には、ＡＣプラグ４０２ａと一体の金属で形成された金属片４０２ｂが突設され、この金属片４０２ｂは、ＡＣアダプタ本体３００に形成された４つの電極部３０２の内、対峙する電極に挿入されて嵌合する部分である。電極部３０２は、正方形の各辺に相当する位置関係に２極ずつ２組配置される。
【００２３】
プラグ構造体４００をＡＣアダプタ本体３００に装着したときに、プラグ構造体４００の正方形の各辺に相当する位置には、ＡＣアダプタ本体３００から脱落するのを防止するため、詳細を後述する図２に示すフック４０３が４個設けられており、このフック４０３はＡＣアダプタ本体３００のフック孔３０３に係合される。ＡＣアダプタ本体３００に設けられるフック孔３０３も、フック４０３に対応してＡＣアダプタ本体３００に４個設けられている。
【００２４】
プラグ構造体４００は、図１に示すように、ＡＣプラグ４０２ａを縦にしても横にしても、すなわち、９０度向きを変更させてもＡＣアダプタ本体３００の電極部３０２に装着できるように構成されている。このように構成したことにより、下記に述べるように集合タップに、最大実装でＡＣアダプタ本体３００を装着することができるようになる。
【００２５】
ＡＣアダプタ本体３００の電極部３０２は、上述のように４箇所設けるが、隣接する電極同士を接続した２組のペアを作っておけば、プラグ構造体４００を縦横どちらの向きで装着しても全体を集合タップのコンセント口に実装して利用することができる。
【００２６】
ＡＣアダプタ本体３００と、プラグ構造体４００が嵌合した状態を詳細に示したものが図２である。この図２は、図１に示したアーア線またはイーイ線の断面を示す。なお、図２に示す各符号の説明（番号）は、図１と同じ符号を用いて示してある。
【００２７】
３０２ａは、図２のみに記載されているが、ＡＣアダプタ本体３００に設けられた差込式電極片であり、この電極片３０２ａにはプラグ構造体４００の金属片４０２ｂが差し込まれて電気的に接触される。なお、電極片３０２ａはＡＣアダプタ本体３００の電気回路に接続される。
【００２８】
また、図２には、プラグ構造体４００に形成されたフック４０３が、ＡＣアダプタ本体３００に形成されたフック孔３０３に係合された状態を示してある。このため、フック４０３をフック孔３０３から外すことにより、ＡＣアダプタ本体３００とプラグ構造体４００は分離できる。このような構成とすることにより、プラグ構造体４００を、縦横９０度向きを変更させたいずれの状態でも、ＡＣアダプタ本体３００とプラグ構造体４００は、着脱できるため、次のような効果が得られる。
【００２９】
図３（ａ）（ｂ）は、実施の形態１によるＡＣアダプタ本体３００を集合タップ２００，２０１に実装した様子であり、ここで、図３（ａ）は、コンセント口が縦向きの集合タップ２００にＡＣアダプタ本体３００を実装する場合、図３（ｂ）は、コンセント口が横向きの集合タップ２０１に同じくＡＣアダプタ本体３００を実装する場合である。
【００３０】
上記のように図３（ａ）に示すコンセント口が縦向きの集合タップ２００の場合、ＡＣアダプタ本体３００に装着するプラグ構造体４００のＡＣプラグ４０２ａを集合タップ２００のコンセント口に合わせて縦向きに装着することにより、ＡＣアダプタ本体３００を最大の４台まで実装できるようになる。
【００３１】
一方、図３（ｂ）に示すコンセント口が横向きの集合タップ２０１の場合、ＡＣアダプタ本体３００に装着するプラグ構造体４００のＡＣプラグ４０２ａを集合タップ２０１のコンセント口に合わせて横向きに装着することにより、ＡＣアダプタ本体３００は、こちらも最大の４台まで実装できるようになる。つまり、集合タップのコンセント口の向きにあわせて、プラグ構造体４００のＡＣプラグの装着向きを切り替えれば、何れの場合にも最大の実装効率で使用することが可能になる。
［実施の形態２］
図４はこの発明のＡＣアダプタ装置における実施の形態２を示すＡＣアダプタ本体と回動により分離可能なプラグ構造体の斜視図で、図４において、５００はＡＣアダプタ本体、６００はＡＣアダプタ本体５００から回動により分離可能な円盤形状のプラグ構造体であり、図４はＡＣアダプタ本体５００からプラグ構造体６００を分離した様子を示す。ＡＣアダプタ本体５００には、プラグ構造体６００が嵌め込まれる有底円筒形状の嵌合部５０２が設けられ、この嵌合部５０２には、図５に示す係止部５０４が形成されるとともに、プラグ構造体６００には係止部５０４に係合される突出体６０４が形成されている。
【００３２】
プラグ構造体６００には、金属片からなるＡＣプラグ６０２ａが形成され、このＡＣプラグ６０２ａはＡＣコンセントに差し込まれて嵌合する部分である。また、プラグ構造体６００の図示裏面側には、ＡＣプラグ６０２ａと一体の金属で形成された金属片６０２ｂが突設され、この金属片６０２ｂは、ＡＣアダプタ本体５００の電極部５０３ａに接触する部分である。電極部５０３ａは、嵌合部５０２の底部に円の中心に対して対峙する位置関係に湾曲して一対配置される。なお、電極部５０３ａはＡＣアダプタ本体５００の電気回路に接続される。
【００３３】
図５は、ＡＣアダプタ本体５００とプラグ構造体６００とが嵌合した状態を詳細に示すもので、この図５は、図４に示したウーウ線の断面図である。なお、図５に示す各部の説明（番号）は図４と同じ符号を付してある。
【００３４】
図５では、プラグ構造体６００の金属片６０２ｂとＡＣアダプタ本体５００の電極部５０３ａとの電気的接触状態を示している。また、図６（ａ）（ｂ）は、図４の矢印「エ」の方向から見た場合のＡＣアダプタ本体５００の電極部５０３ａとプラグ構造体６００の金属片６０２ｂとの電気的接触の状態を示すものである。なお、図６（ａ）（ｂ）に示す各符号は、図４と同じ符号の説明（番号）を付して示してある。
【００３５】
図６（ａ）（ｂ）は、金属片６０２ｂと電極部５０３ａとの電気的接触位置が９０度異なっている２つの状態を示したもので、図６（ａ）は湾曲した電極部５０３ａに金属片６０２ｂが図示上下の位置で電気的に接触し、図６（ｂ）は湾曲した電極部５０３ａに金属片６０２ｂが図示左右の位置で電気的接触している場合を示したものである。この状態は、プラグ構造体６００を時計方向／反時計方向に９０度回動して得られる状態である。
【００３６】
上記のように、実施の形態２の場合、ＡＣアダプタ本体５００と円盤形状のプラグ構造体６００を分離した構成とし、時計方向／反時計方向に９０度までの範囲で回動させた、いずれの位置でも電極部５０３ａと金属片６０２ｂとの電気的接触が得られるようにしたものである。このような構成を用いることにより、次のような効果が得られる。
【００３７】
図７（ａ）（ｂ）は、この発明の実施の形態２によるＡＣアダプタ本体５００を集合タップ２００，２０１に実装した様子を示すもので、図７（ａ）はコンセント口が縦向きの集合タップ２００にＡＣアダプタ本体５００を実装する場合、図７（ｂ）はコンセント口が横向きの集合タップ２０１にＡＣアダプタ本体５００を実装する場合である。
【００３８】
図７（ａ）に示すコンセント口が縦向きの集合タップ２００の場合、ＡＣアダプタ本体５００にプラグ構造体６００のＡＣプラグ６０２ａを装着するには、集合タップ２００のコンセント口に合わせてプラグ構造体６００のＡＣプラグ６０２ａを図６（ｂ）に示すように縦向きに回動させておくことにより、ＡＣアダプタ本体５００を最大の４台まで実装できるようになる。
【００３９】
一方、図７（ｂ）に示すコンセント口が横向きの集合タップ２０１の場合、ＡＣアダプタ本体５００にプラグ構造体６００のＡＣプラグ６０２ａを装着するには、集合タップ２０１のコンセント口に合わせてプラグ構造体６００ＡＣプラグ６０２ａを図６（ａ）に示すように横向きに回動させておくことにより、ＡＣアダプタ本体５００を最大の４台まで実装できるようになる。つまり、集合タップのコンセント口の向きにあわせて、プラグ構造体を回動させて実装すれば、何れの場合にも最大の実装効率で使用することが可能になる。このように、実施の形態１と実施の形態２とは、構成を異にするものではあるが、同等の効果が得られるものである。
【図面の簡単な説明】
【００４０】
【図１】この発明の実施の形態１を示す斜視図。
【図２】実施の形態１におけるア−ア線またはイ−イ線の断面図。
【図３】ＡＣアダプタ本体を集合タップへ実装する例を示す平面図。
【図４】この発明の実施の形態２を示す斜視図。
【図５】実施の形態２におけるウ−ウ線の断面図。
【図６】実施の形態２における矢印「エ」方向から見た場合の電極部と金属片の電気的接触状態の説明図。
【図７】ＡＣアダプタ本体を集合タップへ実装する例を示す平面図。
【図８】各種ＡＣアダプタ本体を示す斜視図。
【図９】標準タイプのＡＣアダプタ本体を集合タップへ実装する例を示す平面図。
【図１０】薄型縦向きタイプのＡＣアダプタ本体を集合タップへ実装する例を示す平面図。
【図１１】薄型横向きタイプのＡＣアダプタ本体を集合タップへ実装する例を示す平面図。
【符号の説明】
【００４１】
３００、５００…ＡＣアダプタ本体
４００、６００…プラグ構造体
３０２…電極部
３０２ａ…差込式電極片
３０３…フック孔
４０２ａ…ＡＣプラグ
４０２ｂ…金属片
４０３…フック
５０２…嵌合部
５０３ａ…電極部
５０４…係止部
６０２ａ…ＡＣプラグ
６０２ｂ…金属片
６０４…突出体
【図１】
2007280857.tif 000003
【図２】
2007280857.tif 000004
【図３】
2007280857.tif 000005
【図４】
2007280857.tif 000006
【図５】
2007280857.tif 000007
【図６】
2007280857.tif 000008
【図７】
2007280857.tif 000009
【図８】
2007280857.tif 000010
【図９】
2007280857.tif 000011
【図１０】
2007280857.tif 000012
【図１１】
2007280857.tif 000013